(57)【要約】　　　（修正有）【課題】本来ステッキは自立させることが出来ず、両手を使用する必要が生じた時には腕に掛けるか、壁面などに立て掛けるなどしなければならないので、容易に自立させることが出来るステッキが望ましい。【解決手段】スッテキ本体１のほぼ中央部付近の適当な位置に、その一端が前記ステッキ本体１の軸心に対して放射状に開脚するように枢着された一対の自立用補助脚６を有し、ロックボタン４の解除操作によって操作レバー３を自動的に回動させ、コントロールケーブル５を介して常時開脚方向に付勢する開脚バネ９の付勢力により、前記自立用補助脚６を開脚して自立させ、操作レバー３の回動操作によって、コントロールケーブル５を介して被操作レバー７を遠隔操作し、被操作レバ７に連結された一対の前記自立用補助脚６を折り畳みステッキとして使用し得る。【選択図】図１
2004132485.tif 000002
【特許請求の範囲】
【請求項１】
頭部にグリップを有するステッキにおいて、該スッテキ本体のほぼ中央部付近又は中央部付近から前記グリップ寄りの適当位置にその一端が、前記ステッキ本体の軸心に対して放射状に開脚するように枢着された一対の自立用補助脚と、該自立用補助脚を常時開脚方向に付勢する開脚バネと、前記ステッキ本体と前記自立用補助脚の間に折り畳み自在に介在させ、前記ステッキ本体に対する前記自立用補助脚の開度を規制するストッパーと、前記自立用補助脚の枢着部付近に枢着されると共に前記自立用補助脚の適当位置に枢支連結され、且つ前記自立用補助脚の開脚閉脚操作を受動伝達する被操作レバーと、前記グリップの一部に設けられ、前記自立用補助脚の開脚閉脚を遠隔操作する操作レバーと、前記自立用補助脚が閉脚状態の時、前記操作レバーの揺動を規制するためのロックボタンと、前記操作レバーによる操作力を前記被操作レバーに伝達するためのコントロールケーブルとからなることを特徴とする自立用補助脚付きステッキ。
【発明の詳細な説明】
【０００１】
【発明が属する技術分野】
本発明は、ステッキの構造に関する。更に詳しくは、自立可能なステッキに関する。
【０００２】
【従来の技術】
従来自立可能なステッキとして写真用の三脚を兼用する考案が、実公昭２８−４２６１号、実公昭３１−１３４５３号、実公昭３１−１３４５４号等の公報で示されている。これらの考案は通常ステッキとして使用され、写真を撮影する時に三脚としての機能を果たす構造となっている。
【０００３】
【発明が解決しようとする課題】
本来ステッキは自立させることが出来ず、両手を使用する必要が生じた時には腕に掛けるか、壁面などに立て掛けるなどしなければならない。このような不便を解消できる考案として、上述の様な写真の三脚を併用するステッキは有るが、写真の撮影をも目的とするため、例え軽合金を使用しても堅牢さが要求されるのでステッキとしては比較的重たいものとなり、実質的に身体を支えるステッキとしては不向きである。このようなものは特に老人用としては適当では無く、例えば乗り物の乗車券等を購入する時などに一時的に自立させようとした場合両手での操作を余儀なくされ、その動作は瞬時に簡単な操作であることが要求される。
従来の技術では、実際にステッキを一時的に自立させることは理論上可能であるが実際に起こる前述の場面での簡便且つ即時的な対応となると、構造上極めて実現性に乏しい。
【０００４】
又、ファッション性を重視した円弧状のグリップが採用されたステッキでは一時的に腕に掛けて両手を容易に使用することが出来るが、不自由な身体を支えるためのステッキでは円弧状のグリップは不向きであり、その為のステッキは本体に対してほぼＴ字形のグリップが一般的に採用されており、かかる構造では腕に掛けた場合落ちないように脇を締めるようにしなければならないので、両手を自由に使うことが出来ず不便である。
【０００５】
【課題を解決するための手段】
本発明は、頭部にグリップを有するスッテキ本体のほぼ中央部付近又は中央部付近から前記グリップ寄りの適当な位置に、その一端が前記ステッキ本体の軸心に対して放射状に開脚するように枢着された一対の自立用補助脚を持ち、これに常時開脚方向に付勢する開脚バネが介在しており、前記ステッキ本体と前記自立用補助脚の間に折り畳み自在に介在させて前記ステッキ本体に対する前記自立用補助脚の開度を規制するストッパーと、前記自立用補助脚の枢着部付近に設けられて、前記自立用補助脚の開脚閉脚操作を受動する被操作レバーと、前記グリップの一部に設けられ、前記自立用補助脚の開脚閉脚を遠隔操作する操作レバーと、前記自立用補助脚が閉脚状態の時、前記自立用補助脚が開かない様に前記操作レバーが作動するのを防止するためのロックボタンと、前記操作レバーによる操作力を前記被操作レバーに伝達するためのコントロールケーブルとからなることを特徴とした構造が採用されている。
【０００６】
【作用】
本発明のステッキを自立させる時、ロックボタンを操作して操作レバーのロックを解除すると、操作レバーが開脚バネの付勢力等によって自動的に回動し、それによって操作レバーに連繋されたコントロールケーブルの内索を介して被操作レバーが操作され、自立用補助脚を開く方向に付勢している前記開脚バネの付勢力によって自立用補助脚が前方に開脚すると共にストッパーによって一定の開脚が保たれ、ステッキを自立させることが出来る。
【０００７】
自立用補助脚を折り畳んで閉脚状態にする時は、前記操作レバーの操作によって操作レバーに連繋されたコントロールケーブルの内索が引き操作によって
摺動して被操作レバーが遠隔操作され、自立用補助脚が折り畳まれた閉脚状態が保たれると共に、前記操作レバーの揺動がその位置でロックボタンによって規制され、前記自立用補助脚が折り畳まれた閉脚状態でステッキとして使用出来る。
【０００８】
【発明の実施形態】
以下、本発明の一実施例として添付の図面を参照して本発明の好ましい実施の形態を説明する。図１は自立した補助脚の開脚状態を示す斜視図で、１はステッキ本体であって、グリップ２の先端部に操作レバー３が回動可能に取り付けられ、コントロールケーブル５の内索５ａの一端が連繋されると共にロックボタン４の介在によって閉脚時における操作レバー３のＢ矢指方向の回動を規制し、図２及び図３に示したように補助脚を閉脚状態に保ち得る。
【０００９】
６は一対の自立用補助脚で、開脚バネ９によってステッキ本体１から放射状方向に開脚可能であり、開脚角度はストッパー８によって規制されている。７は被操作レバーで、コントロールケーブル５の内索５ａの他端が連繋されており、コントロールケーブル５の内索５ａの摺動によって図２に示したようにＪ又はＫ矢指方向に回動し、且つ自立用補助脚６に枢支連結させてＨ又はＧ矢指方向に開脚又は閉脚するようになされている。
【００１０】
図２は自立用補助脚６が折り畳まれた閉脚状態の側面図であって、ロックボタン４をＣ矢指方向に操作して前記操作レバー３のロックを解除すると、操作レバー３がＢ矢指方向に回動する事によって、コントロールケーブルの内索５ａがＦ矢指方向に摺動して前記内索５ａの他端に連繋された被操作レバー７がＰを支点としてＫ矢指方向に回動するので、被操作レバー７と前記自立用補助脚６の枢支連結点Ｍも同時にＫ矢指方向に回動するので、一対の自立用補助脚６は枢止部Ｌ付近に取り付けられた開脚バネ９の付勢力によって枢止部Ｌを支点としてＨ矢指方向に開脚し、ストッパー８によって開脚度が規制され、図１で示したようにステッキが自立した状態となり安定する。このときロックボタン４はＣ矢指方向に移動しており、操作レバー３のＡ方向への回動を許容している。
【００１１】
図１に示す自立用補助脚６の開脚状態から自立用補助脚６を折り畳んで閉脚状態にしてステッキとして使用するときは、操作レバー３をＡ矢指方向に操作すると、ロックボタン４がＤ矢指方向に移動して前記操作レバー３のＢ矢指方向への揺動を規制してその位置でロックされる。操作レバー３がＡ矢指方向に揺動した時、コントロールケーブル５の内索５ａはＥ矢指方向に摺動して前記内索５ａの他端が連繋された被操作レバー７はＪ矢指方向に回動すると共に、前記被操作レバー７の枢支連結点ＭもＪ矢指方向に回動するので、ここに枢支連結された一対の前記自立用補助脚６は枢支部Ｌを支点としてＧ矢指方向に折り畳まれて閉脚状態となりステッキとして使用し得る。
【００１２】
【発明の効果】
本発明の自立用補助脚付きステッキは、構造が単純であるため軽量に出来ると共に、片手で極めて簡単に自立用補助脚の開脚閉脚が操作出来る従来にない優れた効果を発揮し得る発明である。
【図面の簡単な説明】
【図１】本発明の一実施例の概略を示す斜視図。
【図２】本発明の一実施例の概略を示す側面図。
【図３】本発明の一実施例の概略を示す正面図。
【符号の説明】
１：本体
２：グリップ
３：操作レバー
４：ロックボタン
５：コントロールケーブル
５ａ：内索
６：自立用補助脚
７：被操作レバー
８：ストッパー
９：開脚バネ
【図１】
2004132485.tif 000003
【図２】
2004132485.tif 000004
【図３】
2004132485.tif 000005